(57)【要約】【課題】布団が捲れることを抑制することができると共に、使用者の寝心地を良好にすることができる布団カバーを提供する。【解決手段】一実施形態に係る布団カバーは、長手方向Ｄ１及び幅方向Ｄ２に延びる長方形状とされており、内袋が内部に収容される掛け布団１の布団カバー３と敷き布団１０が収容される布団カバー１４である。布団カバー３は、幅方向Ｄ２の一端及び他端のそれぞれにおいて長手方向Ｄ１に延びており、周囲よりも摩擦係数が高い第１高摩擦部４を備えており、布団カバー１４も第１高摩擦部を備えている。【選択図】図１
2018171295.tif 000002
【特許請求の範囲】
【請求項１】
長手方向及び幅方向に延びる長方形状とされており、芯材が内部に収容される布団カバーであって、
前記幅方向の一端及び他端のそれぞれにおいて前記長手方向に延びており、周囲よりも摩擦係数が高い部位とされた第１高摩擦部を備える、
布団カバー。
【請求項２】
前記幅方向の中央において前記長手方向に延びており、周囲よりも摩擦係数が低い部位とされた低摩擦部を備える、
請求項１に記載の布団カバー。
【請求項３】
前記布団カバーは、敷き布団の芯材を収容する敷き布団カバーであり、
前記長手方向の一端において前記幅方向に延びており、周囲よりも摩擦係数が高い部位とされた第２高摩擦部を備える、
請求項１又は２に記載の布団カバー。
【発明の詳細な説明】
【技術分野】
【０００１】
本発明は、布団の芯材を収容する布団カバーに関する。
【背景技術】
【０００２】
特開２０１６−９６８５９号公報には、羽毛布団を収容する羽毛布団用カバーが記載されている。この羽毛布団用カバー及び羽毛布団は、袋状の外袋部と、外袋部に収容された袋状の内袋部と、から成る二重の袋構造を有する。内袋部の内部には、羽毛が充填されており、内袋部と外袋部の間には真綿が充填されている。内袋部は、ウール１００％の織布の片面を縮絨によって毛立たせた布帛から構成される。この羽毛布団では、布帛に形成された毛羽により真綿との間の摩擦力が大きくなるため、真綿が内袋部に対して滑り難くなっている。
【先行技術文献】
【特許文献】
【０００３】
【特許文献１】特開２０１６−９６８５９号公報
【発明の概要】
【発明が解決しようとする課題】
【０００４】
ところで、掛け布団を収容する布団カバーでは、使用者が当該掛け布団を掛けて寝返りを打ったときに、捲れやすいという現状がある。このように寝返りを打ったときに掛け布団が捲れると、特に冬場に使用者に寒さを感じさせたり、掛け布団の捲れによって使用者に煩わしさを与えたりすることがあり、寝心地に支障をきたす懸念がある。敷き布団を収容する布団カバーについても、寝返りによって捲れることがあるので上記同様の懸念がある。また、寝返りに応じて身体に布団カバーがまとわりつくことがあり、これにより使用者の寝心地に支障を与えるという懸念もある。このように、既存の布団カバーでは、使用者の寝心地の点で改善の余地がある。
【０００５】
本発明は、布団が捲れることを抑制することができると共に、使用者の寝心地を良好にすることができる布団カバーを提供することを目的とする。
【課題を解決するための手段】
【０００６】
本発明の一側面に係る布団カバーは、長手方向及び幅方向に延びる長方形状とされており、芯材が内部に収容される布団カバーであって、幅方向の一端及び他端のそれぞれにおいて長手方向に延びており、周囲よりも摩擦係数が高い部位とされた第１高摩擦部を備える。
【０００７】
この布団カバーは、幅方向の一端及び他端のそれぞれに、摩擦係数が周囲よりも高い部位とされた第１高摩擦部を備えており、各第１高摩擦部は布団カバーの長手方向に延びている。布団カバーの幅方向の一端及び他端のそれぞれに第１高摩擦部を備えることにより、幅方向の一端及び他端のそれぞれで布団をずれにくくすることができる。従って、布団カバーを使用している使用者が寝返りを打っても、幅方向の両端で布団カバーを保持することができ、布団が捲れるのを抑制することができる。よって、使用者に寒さ又は煩わしさを与えずに使用者の寝心地を良好にすることができる。
【０００８】
また、幅方向の中央において長手方向に延びており、周囲よりも摩擦係数が低い部位とされた低摩擦部を備えてもよい。布団カバーの幅方向の中央は、布団カバーを使用している使用者の身体が接触しやすい部位である。このように身体が接触しやすい幅方向の中央に低摩擦部が設けられることにより、使用者の寝返りをスムーズにすることができる。従って、寝返りを打ったときに身体に布団カバーがまとわりつくのを抑制することができ、使用者の寝返りを妨げられにくくすることができる。よって、使用者の寝心地を一層良好にすることができる。
【０００９】
また、布団カバーは、敷き布団の芯材を収容する敷き布団カバーであり、長手方向の一端において幅方向に延びており、周囲よりも摩擦係数が高い部位とされた第２高摩擦部を備えてもよい。この場合、第２高摩擦部は、敷き布団カバ−の長手方向の一端において幅方向に延びている。よって、敷き布団カバーの第２高摩擦部の上に枕を置いて使用することにより、寝返り等による枕のずれを抑制することができる。従って、使用者の寝心地を更に良好にすることができる。
【発明の効果】
【００１０】
本発明によれば、布団が捲れることを抑制することができると共に、使用者の寝心地を良好にすることができる。
【図面の簡単な説明】
【００１１】
【図１】実施形態に係る布団カバーを備えた掛け布団及び敷き布団を示す斜視図である。
【図２】図１の掛け布団及び敷き布団を長手方向に直交する面で切断した時の断面図である。
【図３】図１の敷き布団の布団カバーを示す平面図である。
【発明を実施するための形態】
【００１２】
以下、図面を参照しながら本発明に係る布団カバーの実施形態について説明する。以下の説明では、同一又は相当する要素には同一の符号を付し、重複する説明を省略する。
【００１３】
図１は、本実施形態に係る布団カバーを備えた掛け布団１及び敷き布団１０を示す斜視図である。図２は、掛け布団１及び敷き布団１０を長手方向に直交する面で切断したときの断面図である。本実施形態において、例えば、敷き布団１０は、ベッドＢ上のマットレスＭの上に乗せられており、掛け布団１は、敷き布団１０の上に掛けられる羽毛布団である。掛け布団１及び敷き布団１０は、全体として直方体状を呈する。掛け布団１及び敷き布団１０は、例えば、掛け布団敷き布団セットである。
【００１４】
図１及び図２に示されるように、掛け布団１は、ベッドＢの長手方向Ｄ１に長く延びると共に、ベッドＢの幅方向Ｄ２に一定長さ延びている。掛け布団１は、直方体状を成す内袋２と、内袋２を覆う本実施形態の布団カバー３とを備えている。内袋２は、掛け布団１の芯材として機能する。内袋２は、その内部に内容物２ａを備える。この内容物２ａによって、掛け布団１は厚さ方向Ｄ３に盛り上がる形状とされている。内容物２ａは、例えば羽毛（羽根）である。掛け布団１では、内容物２ａを羽毛とすることによって、膨らんだ羽毛の中に熱を閉じ込めることが可能となっており高い保温性を発揮する。但し、内容物２ａの種類は、羽毛に限られず適宜変更可能である。
【００１５】
布団カバー３は、内袋２を出し入れするためのファスナー３ａを備えており、ファスナー３ａは、例えば、掛け布団１の幅方向Ｄ２の一端において長手方向Ｄ１に延在している。布団カバー３は、３種類の生地によって構成されている。布団カバー３は、幅方向Ｄ２の一端及び他端のそれぞれにおいて長手方向Ｄ１に延びる第１高摩擦部４と、幅方向Ｄ２の中央において長手方向Ｄ１に延びる低摩擦部５と、幅方向Ｄ２における第１高摩擦部４及び低摩擦部５の間に位置する一般部６と、を備える。
【００１６】
第１高摩擦部４は、長手方向Ｄ１に長く延びる長方形状とされており、幅方向Ｄ２に一定長さ延びている。第１高摩擦部４は、例えば、長手方向Ｄ１の全体に亘って延びている。また、一例として、第１高摩擦部４の幅（幅方向Ｄ２の長さ）は、１５ｃｍ以上且つ３０ｃｍ以下であり、布団カバー３の幅方向全体に対する第１高摩擦部４の割合は、例えば、１／１０以上且つ１／５以下である。
【００１７】
第１高摩擦部４は、低摩擦部５及び一般部６のいずれよりも摩擦係数が高い部位とされている。第１高摩擦部４は、例えば、ゴム、ゴム材料を含む滑り止めフェルト、又は編地によって構成されている。また、第１高摩擦部４は、アラミド繊維等の高摩擦繊維で構成されていてもよい。例えば、第１高摩擦部４が糸で構成されている場合、第１高摩擦部４の糸の太さは、低摩擦部５を構成する糸の太さ、及び一般部６を構成する糸の太さよりも太い。
【００１８】
低摩擦部５は、第１高摩擦部４及び一般部６のいずれよりも摩擦係数が低い部位とされている。低摩擦部５は、例えば、長手方向Ｄ１の全体に亘って延びている。低摩擦部５の幅は、一例として、２５ｃｍ以上且つ５０ｃｍ以下である。布団カバー３の幅方向全体に対する低摩擦部５の割合は、例えば、１／６以上且つ１／３以下である。低摩擦部５は、例えば、フッ素繊維、アセテート、ナイロン等の合成繊維、絹の細いフィラメント糸、又はキュプラによって構成される。
【００１９】
一般部６は、布団カバー３における第１高摩擦部４及び低摩擦部５以外の部分を示している。一般部６は、例えば、綿、麻、絹、羊毛、若しくはレーヨン等の天然繊維、又は布帛によって構成されている。
【００２０】
掛け布団１は、例えば、幅方向Ｄ２の中央に位置する低摩擦部５に対して互いに対称な形状とされている。また、掛け布団１は、その表裏における第１高摩擦部４、低摩擦部５及び一般部６の配置が互いに同一とされている。よって、掛け布団１は、その表裏を逆にしてもそのまま使用することが可能である。
【００２１】
敷き布団１０は、例えば、中芯１１、中わた１２、及び側生地１３を備える。中芯１１、中わた１２及び側生地１３は、敷き布団１０の芯材として機能する。中わた１２は中芯１１の上下に設けられており、上側の中わた１２の上及び下側の中わた１２の下に側生地１３が設けられている。なお、図２では、上側の中わた１２及び側生地１３のみを示している。
【００２２】
中わた１２が中芯１１を上下に挟み込むと共に、側生地１３が中わた１２を上下に挟み込んでいる。例えば、中芯１１は固綿である。中わた１２の素材は、羊毛、綿、ポリエステル、又は、綿とポリエステルの混綿であり、側生地１３は、例えば、綿、麻、絹、羊毛、若しくはレーヨン等の天然繊維、又は布帛によって構成されている。
【００２３】
図３は、敷き布団１０を示す平面図である。図２及び図３に示されるように、敷き布団１０は、掛け布団１の布団カバー３と同様、布団カバー１４を備えている。布団カバー１４は、敷き布団１０を収容する敷き布団カバーである。布団カバー１４は、４種類の生地によって構成されている。布団カバー１４は、布団カバー３と同様、第１高摩擦部１５と、低摩擦部１６と、一般部１７とを備えている。
【００２４】
第１高摩擦部１５、低摩擦部１６及び一般部１７の形状及び材料は、布団カバー３の第１高摩擦部４、低摩擦部５及び一般部６の形状及び材料と同一であってもよいし、異なっていてもよい。例えば、第１高摩擦部１５の幅は２０ｃｍ以上且つ３５ｃｍ以下であり、低摩擦部１６の幅は３０ｃｍ以上且つ６０ｃｍ以下である。
【００２５】
更に、布団カバー１４は、長手方向Ｄ１の一端に第２高摩擦部１８を備えている。第２高摩擦部１８は、枕が置かれる部位であり、長手方向Ｄ１の一端で幅方向Ｄ２に延びる長方形状とされている。第２高摩擦部１８の幅（長手方向Ｄ１の長さ）は、例えば、１５ｃｍ以上且つ６０ｃｍ以下とされており、布団カバー１４の長さ方向全体に対する第２高摩擦部１８の割合は、例えば、１／２０以上且つ１／５以下である。第２高摩擦部１８の素材及び摩擦係数は、第１高摩擦部１５の素材及び摩擦係数と同一であってもよいし、異なっていてもよい。
【００２６】
次に、本実施形態に係る掛け布団１の布団カバー３、及び敷き布団１０の布団カバー１４から得られる作用効果について説明する。
【００２７】
掛け布団１の布団カバー３は、幅方向Ｄ２の一端及び他端のそれぞれに、摩擦係数が周囲よりも高い部位とされた第１高摩擦部４を備えており、各第１高摩擦部４は布団カバー３の長手方向に延びている。布団カバー３の幅方向Ｄ２の一端及び他端のそれぞれに第１高摩擦部４を備えることにより、幅方向Ｄ２の一端及び他端のそれぞれで掛け布団１をずれにくくすることができる。
【００２８】
従って、布団カバー３を使用する使用者が寝返りを打っても、幅方向Ｄ２の両端で布団カバー３を保持することができ、掛け布団１が捲れるのを抑制することができる。よって、使用者に寒さ又は煩わしさを与える可能性を低減させることができるので、使用者の寝心地を良好にすることができる。
【００２９】
また、布団カバー３の幅方向Ｄ２の両端が第１高摩擦部４とされていることにより、掛け布団１と敷き布団１０との間に形状が維持された空間Ｓが形成される。空間Ｓは、掛け布団１及び敷き布団１０の間に形成される寝床内空間である。このように、形状が崩れにくい空間Ｓを形成することができるので、空間Ｓの中で使用者に容易に寝返りを打たせることができる。従って、寝返り性を向上させることができるので、使用者に与える寝心地を良好にすることができる。
【００３０】
また、布団カバー３は、幅方向Ｄ２の中央において長手方向Ｄ１に延びており、周囲よりも摩擦係数が低い部位とされた低摩擦部５を備えている。布団カバー３の幅方向Ｄ２の中央は、布団カバー３を使用している使用者の身体が接触しやすい部位である。このように身体が接触しやすい幅方向Ｄ２の中央に低摩擦部５が設けられることにより、使用者の寝返りをスムーズにすることができる。従って、寝返りを打ったときに身体に布団カバー３がまとわりつくのを抑制することができ、使用者の寝返りを妨げられにくくすることができるので、使用者の寝心地を一層良好にすることができる。
【００３１】
以上の効果は、第１高摩擦部１５及び低摩擦部１６を備える敷き布団１０からも同様に得られる。また、前述したように、掛け布団１の布団カバー３が第１高摩擦部４及び低摩擦部５を備えると共に、敷き布団１０の布団カバー１４が第１高摩擦部１５及び低摩擦部１６を備えている。このように掛け布団１及び敷き布団１０から成る掛け布団敷き布団セットが第１高摩擦部及び低摩擦部を備えることにより、前述した効果を一層高めることができる。
【００３２】
また、図３に示されるように、布団カバー１４は、敷き布団１０の芯材を収容する敷き布団カバーであり、長手方向Ｄ１の一端において幅方向Ｄ２に延びており、周囲よりも摩擦係数が高い部位とされた第２高摩擦部１８を備える。第２高摩擦部１８は、布団カバー１４の長手方向Ｄ１の一端において幅方向Ｄ２に延びている。よって、布団カバー１４の第２高摩擦部１８の上に枕を置いて使用することにより、寝返り等による枕のずれを抑制することができる。従って、使用者の寝心地を一層良好にすることができる。
【００３３】
以上、本発明に係る布団カバーの実施形態について説明したが、本発明は、前述した実施形態に限定されることなく、請求項に記載した要旨を変更しない範囲において変形してもよい。すなわち、本発明は、特許請求の範囲に記載した要旨を変更しない範囲で種々の変形が可能である。
【００３４】
例えば、前述の実施形態では、掛け布団１の布団カバー３、及び敷き布団１０の布団カバー１４の両方が、第１高摩擦部、低摩擦部、及び一般部を備える例について説明した。しかしながら、掛け布団の布団カバー、及び敷き布団の布団カバーのいずれかのみが第１高摩擦部、低摩擦部、及び一般部を備えていてもよい。
【００３５】
また、第１高摩擦部の幅及び長さは、前述の実施形態に限定されず適宜変更可能である。例えば、布団カバーの長手方向の一部のみに第１高摩擦部が設けられていてもよい。更に、低摩擦部の幅及び長さについても適宜変更可能であり、低摩擦部を省略することも可能である。
【００３６】
また、前述の実施形態では、第１高摩擦部１５、低摩擦部１６、一般部１７及び第２高摩擦部１８を備える敷き布団１０の布団カバー１４について説明したが、第２高摩擦部１８の幅及び長さについても適宜変更可能である。更に、前述の実施形態では、第２高摩擦部１８が布団カバー１４の長手方向Ｄ１の一端において幅方向Ｄ２に延びている例について説明した。しかしながら、第２高摩擦部１８は、布団カバー１４の長手方向Ｄ１の一端及び他端の両方に設けられていてもよい。この場合、布団カバー１４の長手方向Ｄ１の向きを変えても前述と同様の効果を得ることができる。このように、第２高摩擦部１８の数、及び配置態様については適宜変更可能である。また、第２高摩擦部を省略することも可能である。
【００３７】
また、前述の実施形態では、ベッドＢ上のマットレスＭの上に乗せられた敷き布団１０と、羽毛布団である掛け布団１について説明した。しかしながら、敷き布団及び掛け布団は、ベッドＢのマットレスＭの上に乗せられるものでなくてもよい。更に、本発明に係る布団カバーは、羽毛布団である布団カバー３及び敷き布団１０に限られず、様々な掛け布団、敷き布団、及びその他の布団に対しても適用可能である。
【符号の説明】
【００３８】
１…掛け布団、２…内袋（芯材）、２ａ…内容物、３…布団カバー、３ａ…ファスナー、４…第１高摩擦部、５…低摩擦部、６…一般部、１０…敷き布団、１１…中芯、１２…中わた、１３…側生地、１４…布団カバー、１５…第１高摩擦部、１６…低摩擦部、１７…一般部、１８…第２高摩擦部、Ｂ…ベッド、Ｄ１…長手方向、Ｄ２…幅方向、Ｄ３…厚さ方向、Ｍ…マットレス、Ｓ…空間。
【図１】
2018171295.tif 000003
【図２】
2018171295.tif 000004
【図３】
2018171295.tif 000005